(57)【要約】      （修正有）【課題】携帯式電子装置の音の品質を向上させることができる支持スタンドを提供する。【解決手段】支持スタンド１００は、携帯式電子装置を支持するために用い、台座１０及び支持板３０を備える。支持板３０は、平板部３２及び湾曲部３４を備え、平板部３２は、台座１０の頂面と所定の角度を形成して台座１０の頂面に連結され、湾曲部３４は、平板部３２の側面に連結され、且つ平板部３２が位置する平面から突出し、平板部３２及び台座１０の頂面が携帯式電子装置を載置された際、湾曲部３４は、携帯式電子装置のスピーカーに対応して位置し、スピーカーが発する音を共振させた後に、音を携帯式電子装置の正面へ導く。【選択図】図１
2014131280.tif 000002
【特許請求の範囲】
【請求項１】
携帯式電子装置を支持するための支持スタンドであって、前記支持スタンドは、台座及び支持板を備え、前記支持板は、平板部及び湾曲部を備え、前記平板部は、前記台座の頂面と所定の角度を形成して前記台座の頂面に連結されており、前記湾曲部は、前記平板部の側面に連結されており、且つ前記平板部が位置する平面から突出し、
前記平板部及び前記台座の頂面が前記携帯式電子装置を載置された際、前記湾曲部は、前記携帯式電子装置のスピーカーに対応して位置し、且つ前記スピーカーが発する音を共振させた後に、前記音を前記携帯式電子装置の正面へ導くことを特徴とする支持スタンド。
【請求項２】
前記湾曲部は、２つであり、且つ前記平板部の対向する両端にそれぞれ連結され、２つの前記湾曲部は、前記携帯式電子装置の相対する両端に設けられたスピーカーにそれぞれ対応していることを特徴とする請求項１に記載の支持スタンド。
【請求項３】
前記台座及び前記支持板は、一体に射出成形される又はプレス成形されており、前記台座は、底板及び縦置き部を備え、前記底板は、前記縦置き部と共に「Ｌ」字状を呈するように連結されていることを特徴とする請求項１または２に記載の支持スタンド。
【請求項４】
前記湾曲部は、円弧状の板体であり、前記平板部の対向する両端は、前記台座の両側からそれぞれ延出することを特徴とする請求項１から３のいずれか１項に記載の支持スタンド。
【請求項５】
前記湾曲部は、弧状キャビティと、順次に連接されている連接端と、延伸壁及び自由端と、を備え、前記連接端、前記延伸壁及び前記自由端が取り囲むことによって前記弧状キャビティが形成され、前記連接端は、前記平板部の側面に連結されており、前記延伸壁は、円弧状の板体であり且つ前記連接端から前記平板部を離れる方向へ延在し、前記自由端は、前記延伸壁における前記連接端側の反対側に形成されており、前記連接端と前記自由端との間には、前記延伸壁に対応する開口が形成されていることを特徴とする請求項４に記載の支持スタンド。
【請求項６】
前記平板部の前記携帯式電子装置と接触する面は、当接面であり、前記延伸壁は、前記当接面の背面側に向かって前記平板部が位置する平面から突出していることを特徴とする請求項５に記載の支持スタンド。
【請求項７】
前記延伸壁のうち前記連接端に近い部分は、前記当接面の背面側に向かって前記平板部が位置する平面から突出し、前記延伸壁の中央部及び前記延伸壁の前記自由端に近い一端は、前記当接面の正面側に向かって前記平板部が位置する平面から突出していることを特徴とする請求項６に記載の支持スタンド。
【請求項８】
携帯式電子装置を支持するための支持スタンドであって、前記支持スタンドは、台座及び支持板を備え、前記支持板は、平板部及び湾曲部を備え、前記平板部は、前記台座の頂面と所定の角度を形成して前記台座の頂面に連結されており、前記湾曲部は、前記平板部の側面に連結されており、且つ前記平板部が位置する平面から突出し、
前記携帯式電子装置は、前記平板部及び前記台座の頂面により載置され、前記湾曲部は、弧状キャビティを備え、前記弧状キャビティは、前記携帯式電子装置のスピーカーに対応するか又は前記携帯式電子装置のスピーカーをその内部に収容することを特徴とする支持スタンド。
【発明の詳細な説明】
【技術分野】
【０００１】
本発明は、携帯式電子装置の支持スタンドに関し、特に携帯式電子装置の低音効果を増強することができる支持スタンドに関するものである。
【背景技術】
【０００２】
一般的な携帯式電子装置は、通常ハウジングの内部にスピーカーモジュールが装着されている。しかし、最近の携帯式電子装置には小型化及び軽薄化が要求されるため、前記スピーカーモジュールの共振空間は不十分であり、携帯式電子装置の音の品質は好ましくない。
【０００３】
他方、携帯式電子装置の表示画面を容易に見ることができるようにするために、ユーザは、通常外付けの支持スタンドを使用して、携帯式電子装置を所定の角度に傾斜させて支える。しかし、従来の支持スタンドは、携帯式電子装置を支持することのみに用いられるため、構造及び機能は単一である。
【発明の概要】
【発明が解決しようとする課題】
【０００４】
本発明は、上記の問題点を考慮してなされたものであり、携帯式電子装置の音質を向上させることができる支持スタンドを提供することを目的とする。
【課題を解決するための手段】
【０００５】
上記の目的を達成するために、本発明に係る支持スタンドは、携帯式電子装置を支持するために用いられ、台座及び支持板を備える。前記支持板は、平板部及び湾曲部を備え、前記平板部は、前記台座の頂面と所定の角度を形成して前記台座の頂面に連結されており、前記湾曲部は、前記平板部の側面に連結されており、且つ前記平板部が位置する平面から突出し、前記平板部及び前記台座の頂面に前記携帯式電子装置が載置された際、前記湾曲部は、前記携帯式電子装置のスピーカーに対応して位置し、且つ前記スピーカーが発する音を共振させた後に、前記音を前記携帯式電子装置の正面へ導く。
【０００６】
また、上記の目的を達成するために、本発明に係る支持スタンドは、携帯式電子装置を支持するために用いられ、台座及び支持板を備える。前記支持板は、平板部及び湾曲部を備え、前記平板部は、前記台座の頂面と所定の角度を形成して前記台座の頂面に連結されており、前記湾曲部は、前記平板部の側面に連結されており、且つ前記平板部が位置する平面から突出し、前記携帯式電子装置は、前記平板部及び前記台座の頂面により載置され、前記湾曲部は、弧状キャビティを備え、前記弧状キャビティは、前記携帯式電子装置のスピーカーに対応するか又は前記携帯式電子装置のスピーカーをその内部に収容する。
【発明の効果】
【０００７】
従来の技術と異なり、本発明の支持スタンドは、台座及び支持板を介して所定の角度で携帯式電子装置を斜めに支持させることで、ユーザは容易に閲覧することができる。また、本発明の支持スタンドは、支持板の対向する両側に湾曲部がそれぞれ設けられ、携帯式電子装置のスピーカーが発した音を前記湾曲部内で共振させた後にユーザに導く。よって、本発明の支持スタンドは、携帯式電子装置を斜めに支持できるだけでなく、簡単な構造を介して、それに載置された携帯式電子装置の音を調節して、音の品質を高めることができる。
【図面の簡単な説明】
【０００８】
【図１】本発明の第一実施形態に係る支持スタンドの斜視図である。
【図２】図１に示した支持スタンドを背面側から見た斜視図である。
【図３】図２に示した支持スタンドの右側からみた断面図である。
【図４】図１に示した支持スタンドが、携帯式電子装置を支持している状態を示す図である。
【図５】図４の上から見た図である。
【図６】本発明の第二実施形態に係る支持スタンドの斜視図である。
【図７】図６に示した支持スタンドが、携帯式電子装置を支持している状態を示す図である。
【図８】図７を上から見た図である。
【発明を実施するための形態】
【０００９】
図１に示すように、本発明の第一実施形態に係る支持スタンド１００は、携帯式電子装置２００を支持するために用いられる。携帯式電子装置２００の正面には、表示パネル２１０が設けられている。前記携帯式電子装置２００は、携帯電話機、タブレットパソコン及び携帯情報端末（ＰＤＡ）等であっても良い。ここで、水平方向において支持スタンド１００で支持される携帯式電子装置２００の正面側を前方、その反対側を後方、水平方向において前後方向に直交する方向を左右方向とし、前後方向及び左右方向双方に直交する方向を上下方向とする。
【００１０】
図２を併せて参照すると、支持スタンド１００は、台座１０及び支持板３０により構成されている。支持板３０は、台座１０の上端に設置されており、台座１０と所定の角度をなして連結されている。本実施形態において、支持板３０は、台座１０と一体に射出成形される又はプレス成形される。
【００１１】
図３に示すように、台座１０は、ほぼ「Ｌ」字状を呈し、底板１２及び縦置き部１４を備える。底板１２は、水平方向に沿って延在する板体であり、通常卓上等に載置される。縦置き部１４は、ほぼ逆台形を呈し、その底部は底板１２の一端から上方へ延伸している。縦置き部１４の頂面（上端の表面）は、前後方向に沿って前方から順に設けられた第一端部１４２、凹谷１４４及び第二端部１４６を備える。凹谷１４４は、縦置き部１４の頂面の中央部から下方に凹んで形成されている。凹谷１４４が第一端部１４２及び第二端部１４６に向かって延伸することによって、所定の角度をなして連接された第一斜面１４３及び第二斜面１４５が形成される。
【００１２】
支持板３０は、平板部３２及び２つの湾曲部３４を備える。平板部３２は、上方に向かうにしたがって後方に向けて傾斜している板体であり、その下端は台座１０の凹谷１４４に連結されており、第一斜面１４３と所定の角度をなして設けられている。また、平板部３２の長さが台座１０の長手方向に沿う長さより長いので、平板部３２の左右両端は、台座１０の左右両側からそれぞれ突き出している。より詳細には、平板部３２の第一斜面１４３に向かう側の表面は、携帯式電子装置２００の背面と接触する当接面３２２である。当接面３２２と水平線との夾角は、鈍角である。上記の構造によって、平板部３２の当接面３２２と台座１０の第一斜面１４３とは、支持部を形成する。
【００１３】
２つの湾曲部３４は、平板部３２の左右両端にそれぞれ設けられており、音を調節する機能を有する。各湾曲部３４は、弧状キャビティ３４０と、連接端３４２と、延伸壁３４４及び自由端３４６と、を備える。連接端３４２、延伸壁３４４及び自由端３４６が取り囲むことによって弧状キャビティ３４０が形成される。各連接端３４２は、平板部３２の左右両端に連結されている。各延伸壁３４４は、断面円弧状の板体であり、当接面３２２から左右方向で離間するにしたがって後方に向かい、さらに左右方向で離間するにしたがって前方に向かうように湾曲して延在する。また、各延伸壁３４４における当接面３２２の反対側の表面は、平板部３２が位置する平面から後方に突出している（図２を参照）。各自由端３４６は、延伸壁３４４における連接端３４２とは反対側に形成されており、当接面３２２が所在する平面よりも前方に位置している（図４を参照）。連接端３４２と自由端３４６との間には、延伸壁３４４に対向するとともに前方に開く開口（即ち、弧状キャビティ３４０の開口）が形成されている。
【００１４】
図４に示すように、携帯式電子装置２００を支持スタンド１００の前記支持部にセットする際、先ず、携帯式電子装置２００の下端の側面を台座１０の第一斜面１４３に載置する。この際、携帯式電子装置２００の背面は支持板３０の当接面３２２により支持されている。携帯式電子装置２００が第一斜面１４３と当接面３２２とにより支持されると、当接面３２２は第一斜面１４３に対向し且つ水平面に対して鈍角を形成して位置するので、第一斜面１４３及び当接面３２２は、携帯式電子装置２００を安定して支持することができる。また、携帯式電子装置２００は当接面３２２に当接されるので、携帯式電子装置２００と水平面との間にも鈍角が形成される。即ち、表示パネル２１０は、ユーザに対して斜めにセットされている。よって、ユーザは表示画面を快適に閲覧することができる。
【００１５】
図５に示すように、携帯式電子装置２００のスピーカー（図示せず）は、携帯式電子装置２００の対向する両端（図５における左右両端）にそれぞれ設けられる。前記スピーカーの音放出方式は、携帯式電子装置２００の背面の両端から音を発するか又は携帯式電子装置２００の対向する２つの側面から音を発する方式となっている。支持スタンド１００の各弧状キャビティ３４０は、携帯式電子装置２００の一方のスピーカーに対応して位置する。
【００１６】
前記スピーカーが携帯式電子装置２００の背面の両端から音を発する場合、音は、延伸壁３４４の中央部に向けて放射されるので、弧状キャビティ３４０の内部で共振を発生し、且つ湾曲部３４の開口から表示パネル２１０の正面へ放射される。また、前記スピーカーが携帯式電子装置２００の対向する２つの側面から音を発する場合、音は、延伸壁３４４の自由端３４６に近接する側に向けて放射されるので、２つの湾曲部３４の間で共振され、且つ湾曲部３４の開口から表示パネル２１０の正面へ放射される。
【００１７】
上述したように、本発明において、２つの湾曲部３４は、携帯式電子装置２００の共鳴室を形成して、携帯式電子装置２００のスピーカーが発する音を共振させるための空間を提供し、且つスピーカーが発する音をユーザに向けて放射させる役割果たしている。これにより、本発明の構造は、音質を効果的に高めることができる。
【００１８】
図６に示すように、本発明の第二実施形態に係る支持スタンド５００は、台座５１０及び支持板５３０により構成されている。支持板５３０は、平板部５３２及び２つの湾曲部５３４を備える。平板部５３２は、当接面５３２２を備える。本発明の第二実施形態に係る台座５１０の構造及び平板部５３２の台座５１０に対する設置方式は、第一実施形態に係る台座１０の構造及び平板部３２の台座１０に対する設置方式とそれぞれ同じである。第二実施形態と第一実施形態との異なる点は、湾曲部５３４の形状、曲率及び湾曲部５３４の平板部５３２に対する固定角度である。
【００１９】
具体的には、本発明の第二実施形態において、各湾曲部５３４は、弧状キャビティ５３４０と、順次に連接されている連接端５３４２、延伸壁５３４４及び自由端５３４６をそれぞれ備える。連接端５３４２、延伸壁５３４４及び自由端５３４６が取り囲むことで、弧状キャビティ５３４０が形成される。各連接端５３４２は、平板部５３２の側面に連結されている。各延伸壁５３４４は、円弧状の板体であり、連接端５３４２から当接面５３２２を離れる方向へ延在する。また、各延伸壁５３４４の連接端５３４２に近い部分は、当接面５３２２側の反対側に向かって、平板部５３２が位置する平面から突出している（図８を参照）。また、延伸壁５３４４の中間部及び自由端５３４６に近い部分は、当接面５３２２よりも平板部５３２が位置する平面から前方に突出している。
【００２０】
図７及び図８に示すように、携帯式電子装置２００を支持スタンド５００にセットする際、先ず、携帯式電子装置２００を台座５１０及び支持板５３０に載置する。この際、携帯式電子装置２００の下端の側面は台座１０の第一斜面１４３により載置され、携帯式電子装置２００の背面は支持板３０の当接面３２２により支持される。携帯式電子装置２００が第一斜面１４３と当接面３２２とにより支持されると、当接面３２２は第一斜面１４３に対向し且つ水平面に対して鈍角を形成して位置するので、第一斜面１４３及び当接面３２２は、携帯式電子装置２００を安定して支持することができる。また、携帯式電子装置２００は当接面３２２に当接されるので、携帯式電子装置２００と水平面との間にも鈍角が形成される。即ち、この時、表示パネル２１０は、ユーザに対して斜めにセットされている。よって、ユーザは表示画面を快適に閲覧することができる。
【００２１】
支持スタンド５００の各弧状キャビティ５３４０は携帯式電子装置２００の１つのスピーカーをその内部に収容している。携帯式電子装置２００の背面の相対する両端に設けられたスピーカー（図示せず）が音を発すると、音は延伸壁５３４４の連接端５３４２に近い側に向けて放射される。また、携帯式電子装置２００の対向する２つの側面に設けられたスピーカーが音を発すると、音は延伸壁５３４４の中央部に向けて放射される。つまり、上記２つの場合、音は、２つの湾曲部５３４の弧状キャビティ内で共振を発生し、その後、湾曲部５３４の開口により携帯式電子装置２００の表示パネル２１０の正面に放射される。従って、ユーザの耳に入り易い。
【００２２】
上記の２つの実施形態から分かるように、本発明の支持スタンド１００、５００は、台座１０及び支持板３０を介して所定の角度で携帯式電子装置２００を斜めに支持させることで、ユーザは容易に閲覧することができる。また、本発明の支持スタンド１００、５００は、支持板３０の長手方向の両端に湾曲部３４がそれぞれ設けられ、携帯式電子装置２００のスピーカーが発した音を湾曲部３４内で共振させた後にユーザに向けて導く（放射させる）。よって、本発明の支持スタンド１００、５００は、携帯式電子装置２００を斜めに支持できるだけでなく、簡単な構造を介して、それに載置された携帯式電子装置２００の音を調節して、音の品質を高めることができる。
【符号の説明】
【００２３】
１０  台座
１００、５００  支持スタンド
１２  底板
１４  縦置き部
１４２  第一端部
１４３  第一斜面
１４４  凹谷
１４５  第二斜面
１４６  第二端部
２００  携帯式電子装置
２１０  表示パネル
３０  支持板
３２  平板部
３２２  当接面
３４  湾曲部
３４０  弧状キャビティ
３４２  連接端
３４４  延伸壁
３４６  自由端
５１０  台座
５３０  支持板
５３２  平板部
５３２２  当接面
５３４    湾曲部
５３４０  弧状キャビティ
５３４２  連接端
５３４４  延伸壁
５３４６  自由端
【図１】
2014131280.tif 000003
【図２】
2014131280.tif 000004
【図３】
2014131280.tif 000005
【図４】
2014131280.tif 000006
【図５】
2014131280.tif 000007
【図６】
2014131280.tif 000008
【図７】
2014131280.tif 000009
【図８】
2014131280.tif 000010